【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
保持部分と、
受入れ部分を有する骨組織除去要素と、
前記骨組織除去要素に移動可能に連結され、曲げ可能な本体を集合的に画定する少なくとも１つのリンクであって、
ａ）近位端では前記保持部分に、
ｂ）遠位端では前記骨組織除去要素に連結され、
前記少なくとも１つのリンクおよび骨組織除去要素のそれぞれが受入れ部分を有し、前記それぞれの受入れ部分の壁が少なくとも１つの第２の開口を備え、前記それぞれの受入れ部分が、所定の内径を有し、
前記少なくとも１つのリンクのそれぞれが係合部分を有し、前記それぞれの係合部分の壁が少なくとも第１の開口を備え、前記それぞれの係合部分が、先行する前記リンクの前記受入れ部分の前記内径よりも小さい外径を有し、
前記係合部分のそれぞれは、先行する前記受入れ部分の円周状の断面形状に対応する円周状の断面形状を有し、
前記受入れ部分は、前記第１および第２の開口が位置合わせされるようにして前記係合部分を受け入れるようにサイズ設定され嵌合される、少なくとも１つのリンクと、
前記位置合わせされた第１および第２の開口に受け入れられるとともに前記受入れ部分および受け入れられた前記係合部分を移動可能に連結するようにサイズ設定され嵌合される、少なくとも１つのピンとを備える、可撓性骨ツール。
【請求項２】
前記少なくとも１つのリンクが複数のリンクを有し、前記複数のリンクが、少なくとも一対の直径方向に対向する開口をそれぞれ備える係合部分および受入れ部分を備える、請求項１に記載の可撓性骨ツール。
【請求項３】
１つの前記受入れ部分の一対の直径方向に対向する開口を接続する第１の仮想線が、前記係合部分の直径方向に対向する開口を接続する第２の仮想線に対してある角度にある、請求項２に記載の可撓性骨ツール。
【請求項４】
前記少なくとも１つのピンが、前記係合部分が前記受入れ部分内部に完全に挿入されるのを妨げ、前記係合部分の外表面と前記受入れ部分の内表面との間にギャップを形成する、請求項１に記載の可撓性骨ツール。
【請求項５】
前記ギャップによって、前記受入れ部分内部での前記係合部分の枢動移動が可能になることにより、前記少なくとも１つのリンクが前記骨組織除去要素に対して２〜１０度枢動するように動作可能である、請求項４に記載の可撓性骨ツール。
【請求項６】
前記ツールが少なくとも７つのリンクを備え、２０〜８０ｍｍの曲げ半径Ｒで曲がるように構成される、請求項１に記載の可撓性骨ツール。
【請求項７】
前記少なくとも１つのリンクが複数のリンクを有し、前記複数のリンクに沿った枢動の度合いによって前記ツールの曲げ半径が集合的に画定される、請求項５に記載の可撓性骨ツール。
【請求項８】
前記ツールが少なくとも７つのリンクを備え、前記保持部分の回転軸に対して０〜１８０度の角度で曲がるように構成される、請求項１に記載の可撓性骨ツール。
【請求項９】
前記少なくとも１つのリンクが、それぞれ前記係合部分を有する複数のリンクを有し、１つの前記係合部分、および連続する受入れ部分の対応する内側管腔の合致する幾何学形状が、係合されたとき、前記骨組織除去要素を前進させて骨に入れるのに十分な大きさのトルクを前記リンク間で伝達するのに適している、請求項１に記載の可撓性骨ツール。
【請求項１０】
前記少なくとも１つのリンクが、それぞれ前記係合部分を有する複数のリンクを有し、１つの前記係合部分、および連続する受入れ部分の対応する内側管腔の合致する幾何学形状によって、依然として前記リンク間で十分なトルクを伝達することができる程度だけ、前記リンクを互いに対して軸線方向で回転させることができる、請求項１に記載の可撓性骨ツール。
【請求項１１】
前記可撓性ツールの少なくとも一部分が、ガイドピンおよびガイドワイヤの少なくとも１つの上で摺動可能である、請求項１に記載の可撓性骨ツール。
【請求項１２】
前記少なくとも１つのリンクが複数のリンクを有し、前記連結が、２つの連続するリンクの位置合わせされた開口内に少なくとも１つのピンが受け入れられる半径方向干渉接続部を含む、請求項１に記載の可撓性骨ツール。
【請求項１３】
前記曲げ可能な本体および前記保持部分の少なくとも１つがカニューレ化される、請求項１に記載の可撓性骨ツール。
【請求項１４】
固定具を更に備える、請求項１に記載の可撓性骨ツール。
【請求項１５】
前記固定具が環状の幾何学形状および半円の幾何学形状の一方の形状を有する、請求項１４に記載の可撓性骨ツール。
【請求項１６】
前記固定具が弾力性であり、
前記固定具が、
内側に面する表面と、外側に面する表面と、応力を加えると前記固定具が弾力的に変形することを可能にするスリットと、
複数の相互に分離された指状の突起を含む概念的なドーム状の幾何学形状と、
のうち１つを画定する、請求項１４に記載の可撓性骨ツール。
【請求項１７】
前記固定具が、内側に面する表面と、外側に面する表面と、応力を加えると前記固定具が弾力的に変形することを可能にするスリットと、を画定し、
前記少なくとも１つのリンクが、それぞれ受入れ部分を有する複数のリンクを含み、
前記リンクの前記受入れ部分の外表面が、開口が内部に形成された円周状の陥凹部を含み、前記少なくとも１つのピンが前記陥凹部に形成された開口に受け入れられ、
前記固定具が前記円周状の陥凹部に沿って位置し、前記内側に面する表面が、前記開口に受け入れられた前記ピンのうち少なくとも１つの外側に面する表面と係合する、請求項１６に記載の可撓性骨ツール。
【請求項１８】
前記固定具が直径方向に対向する固定的に取り付けられたピンを含む、請求項１４に記載の可撓性骨ツール。
【請求項１９】
前記少なくとも１つのリンクが、それぞれ受入れ部分を有する複数のリンクを含み、
前記曲げ可能な本体の曲げ半径が、前記本体を備えるリンクの数と、
前記リンクの前記係合部分の外径、前記リンクの前記係合部分の長さ、および前記リンクの受入れ部分の内径と、
の少なくとも１つによって画定される、請求項１に記載の可撓性骨ツール。
【請求項２０】
前記開口の少なくとも１つが軸線方向に延びて延在する、請求項１に記載の可撓性骨ツール。
【請求項２１】
前記可撓性ツールが、骨に接触すると縮小可能な、少なくとも２つの連続するリンク間の少なくとも１つの軸線方向のギャップを備える、請求項２０に記載の可撓性骨ツール。
【請求項２２】
前記骨組織除去要素が交換可能である、請求項１に記載の可撓性骨ツール。
【請求項２３】
少なくとも１つの近位の保持部分を備える少なくとも１つの可撓性骨ツールと、
所定の外径を有する係合部分を有する、前記保持部分の遠位に取付け可能な少なくとも１つの第１のリンクと、
前記外径よりも小さい所定の内径を有する受入れ部分を有する、前記保持部分および前記第１のリンクの少なくとも１つに取付け可能な組織除去要素を備える少なくとも１つの第２のリンクと、
複数の接続ピンと、
少なくとも１つのリンク分離ツールとを備える、曲線状のボアを骨に穴開けする可撓性骨ツールキット。
【請求項２４】
前記リンク分離ツールが、リンク、および／または組織除去要素を備える前記リンクを分離するように構成される、請求項２３に記載のキット。
【請求項２５】
少なくとも１つの近位の保持部分を備える少なくとも１つの可撓性骨ツールを選択するステップと、
少なくとも１つの第１のリンクを選択し、前記少なくとも１つの第１のリンクを前記保持部分に取り付けるステップと、
組織除去要素を備える少なくとも１つの第２のリンクを選択し、少なくとも１つのピンを用いて前記第２のリンクを前記第１のリンクに取り付けるステップとを含み、
前記少なくとも１つの第２のリンクは所定の内径を有する受入れ部分を有し、
前記少なくとも１つの第１のリンクは所定の外径を有する係合部分を有し、
前記係合部分の外径は、前記受入れ部分の前記内径よりも小さく、
前記受入れ部分は、前記係合部分を受け入れるようにサイズ設定され嵌合される、
ボアを骨に穴開けするのに可撓性骨ツールキットを使用する方法。